(57)【要約】【課題】表示パネルに表示される画像を多数人で、かつ、拡大して見ることが可能な携帯電子機器、およびこれを用いた表示システムを提供する。【解決手段】携帯電話機１０は、開口を有した本体１２と、開口を塞いで設けられ、画像を表示する表示パネル１６と、バックライトユニット１８とを有している。バックライトユニットは、表示パネルに対向し開口を塞いで位置し表示パネルに照明光を照射する表示位置と、開口からずれて位置し表示パネルの背面側を開放する開放位置との間を移動可能に設けられている。プロジェクタ８０は、携帯電話機の少なくとも表示パネル部分を挿入可能に形成された装填スロット８７を有した筐体８２と、筐体内に配設された光源部と、筐体内に配設され、光源部から照射された照明光を拡散して外部に照射する光学系と、を有している。携帯電話器は、バックライトユニットが開放位置に移動された状態で装填スロットに装填され、表示パネルは光学系の光軸と垂直に交差して配置される。【選択図】  図２
2006319623.tif 000002
【特許請求の範囲】
【請求項１】
開口を有した本体と、
前記開口を塞いで設けられ、画像を表示する表示パネルと、
前記本体内で前記表示パネルに対向するとともに前記開口を塞いで位置し前記表示パネルに照明光を照射する表示位置と、前記開口からずれて位置し前記表示パネルの背面側を開放する開放位置との間を移動可能に設けられたバックライトユニットと、
を備えた携帯電子機器。
【請求項２】
前記バックライトユニットは、導光板と、この導光板の側面に対向して設けられた光源と、前記導光板の周縁部および光源を支持した支持フレームとを備え、
前記本体は、前記バックライトユニットの支持フレームと係合し、前記バックライトユニットの移動をガイドするガイド部を有している請求項１に記載の携帯電子機器。
【請求項３】
前記バックライトユニットは、前記支持フレームに設けられているとともに前記光源に電気的に接続された電源端子を有し、前記本体は、前記バックライトユニットが前記表示位置に移動された際に前記電源端子に導通し、前記バックライトユニットが前記開放位置に移動された際に前記電源端子から離間する接続端子と、この接続端子に接続された電源と、を有している請求項２に記載の携帯電子機器。
【請求項４】
前記本体上に設けられた複数の操作キーを備え、前記操作キーは、前記表示パネルに表示される画像の上下左右を反転させる反転キーを含んでいる請求項１ないし３のずれか１項に記載の携帯電子機器。
【請求項５】
前記表示パネルは液晶表示パネルにより構成されている請求項１に記載の携帯電子機器。
【請求項６】
開口を有した本体と、前記開口を塞いで設けられ、画像を表示する表示パネルと、前記本体内で前記表示パネルに対向するとともに前記開口を塞いで位置し前記表示パネルに照明光を照射する表示位置と、前記開口からずれて位置し前記表示パネルの背面側を開放する開放位置との間を移動可能に設けられたバックライトユニットと、を備えた携帯電子機器と、
前記携帯電子機器の少なくとも表示パネル部分を挿入可能に形成された装填スロットを有した筐体と、前記筐体内に配設された光源部と、前記筐体内に配設され、前記光源部から照射された照明光を拡散して外部に照射する光学系と、を備え、前記携帯電子機器は、前記バックライトユニットが前記開放位置に移動された状態で前記装填スロットに装填され、前記表示パネルは前記光学系の光軸と垂直に交差して配置されるプロジェクタと、
を具備した表示システム。
【請求項７】
前記携帯電子機器のバックライトユニットは、導光板と、この導光板の側面に対向して設けられた光源と、前記導光板の周縁部および光源を支持した支持フレームとを備え、
前記本体は、前記バックライトユニットの支持フレームと係合し、前記バックライトユニットの移動をガイドするガイド部を有している請求項６に記載の表示システム。
【請求項８】
前記携帯電子機器のバックライトユニットは、前記支持フレームに設けられているとともに前記光源に電気的に接続された電源端子を有し、前記本体は、前記バックライトユニットが前記表示位置に移動された際に前記電源端子に導通し、前記バックライトユニットが前記開放位置に移動された際に前記電源端子から離間する接続端子と、この接続端子に接続された電源と、を有している請求項７に記載の表示システム。
【請求項９】
前記携帯電子機器は、前記本体上に設けられた複数の操作キーを備え、前記操作キーは、前記表示パネルに表示される画像の上下左右を反転させる反転キーを含んでいる請求項６ないし８のずれか１項に記載の表示システム。
【請求項１０】
前記プロジェクタの光学系は、前記筐体の外面に露出して設けられた投影レンズと、前記光源部と前記装填スロットとの間に設けられた紫外線／赤外線カットフィルタおよびフライアイレンズと、前記装填スロットと投影レンズとの間に設けられた収束レンズと、を含んでいる請求項６に記載の表示システム。
【請求項１１】
前記携帯電子機器は、前記本体に設けられた音声出力端子を有し、前記プロジェクタは前記筐体に設けられ、前記音声出力端子に接続可能な音声入力端子を備えている請求項６に記載の表示システム。
【発明の詳細な説明】
【技術分野】
【０００１】
本発明は、携帯電話機、携帯端末等の表示部を備えた携帯電子機器、およびこれを用いた表示システムに関する。
【背景技術】
【０００２】
近年、携帯電話機、パーソナルデジタルアシスタント（ＰＤＡ）等に代表される携帯可能な小型の電子機器が広く普及している。例えば、携帯電話機は、通常、液晶表示パネルによって形成されたディスプレイ、複数の入力キー等を備えている。また、携帯電話機は、通話機能に加えて、電子メール、カメラ、動画再生、音楽再生、テレビ画像再生等の多種の機能を備えている。メール文書、動画、テレビ画層等は、ディスプレイに表示され、ユーザによって視認される。液晶表示パネルによって形成されたディスプレイは、通常、視野角が比較的狭いとともに、画面の寸法自体も小さい。そのため、ディスプレイに表示される文字情報、画像等は、複数人で同時に見ることが難しい。
【０００３】
近年、携帯電話機のディスプレイに表示される情報を多数人で見ることができるように、携帯電話機に着脱自在なプロジェクタを搭載したものが提案されている（例えば、特許文献１）。プロジェクタは、携帯電話機の本体に独立して、あるいは、ディスプレイと交換して着脱自在に装着され、ディスプレイに表示される画像を外部に投影する。プロジェクタの光源としては、ディスプレイの光源を共用している。
【特許文献１】特開２００５−５１６００号公報
【発明の開示】
【発明が解決しようとする課題】
【０００４】
上記のように、着脱自在なプロジェクタを備えた携帯電話機では、プロジェクタの光源としてディスプレイの光源を用いているが、上述した通り、携帯電話機のディスプレイは比較的小型であり、光源自体も小型でその光量が小さい。また、プロジェクタ自体も小型であり、投影レンズ等の光学系も十分な大きさを確保することが難しい。そのため、プロジェクタによって画像を投影する際、十分な輝度を持った高精細な画像表示、かつ、多数人が同時に視認可能な大きさの画像表示を行うことが難しく、特に、テレビ画像等の動画を鮮明に表示することは困難となる。
【０００５】
この発明は、以上の点に鑑みなされたもので、その目的は、表示パネルに表示される画像を多数人で、かつ、拡大して見ることが可能な携帯電子機器、およびこれを用いた表示システムを提供することにある。
【課題を解決するための手段】
【０００６】
上述課題を解決するため、この発明の態様に係る携帯電子機器は、開口を有した本体と、前記開口を塞いで設けられ、画像を表示する表示パネルと、前記本体内で前記表示パネルに対向するとともに前記開口を塞いで位置し前記表示パネルに照明光を照射する表示位置と、前記開口からずれて位置し前記表示パネルの背面側を開放する開放位置との間を移動可能に設けられたバックライトユニットと、を備えている。
【０００７】
この発明の他の態様に係る表示システムは、開口を有した本体と、前記開口を塞いで設けられ、画像を表示する表示パネルと、前記本体内で前記表示パネルに対向するとともに前記開口を塞いで位置し前記表示パネルに照明光を照射する表示位置と、前記開口からずれて位置し前記表示パネルの背面側を開放する開放位置との間を移動可能に設けられたバックライトユニットと、を備えた携帯電子機器と、  
前記携帯電子機器の少なくとも表示パネル部分を挿入可能に形成された装填スロットを有した筐体と、前記筐体内に配設された光源部と、前記筐体内に配設され、前記光源部から照射された照明光を拡散して外部に照射する光学系と、を備え、前記携帯電子機器は、前記バックライトユニットが前記開放位置に移動された状態で前記装填スロットに装填され、前記表示パネルは前記光学系の光軸と垂直に交差して配置されるプロジェクタと、を具備している。
【発明の効果】
【０００８】
本発明の態様によれば、表示パネルに表示される画像を多数人で、かつ、拡大して見ることが可能な携帯電子機器、およびこれを用いた表示システムを提供することができる。
【発明を実施するための最良の形態】
【０００９】
以下、図面を参照しながら、本発明の実施の形態に係る表示システムについて詳細に説明する。  
図１および図２は、表示システム全体を示し、図３ないし図７は、表示システムに用いる携帯電子機器としての携帯電話機をそれぞれ示している。
【００１０】
図１および図２に示すように、表示システムは、携帯電話機１０とこの携帯電話機の表示パネルに表示される画像を外部に投影するプロジェクタ８０と、を備えている。始めに、携帯電話機１０について詳細に説明する。
【００１１】
図３および図４に示すように、携帯電話機１０は、偏平な矩形箱状に形成された本体１２を備えている。本体１２のほぼ半分の領域には矩形状の開口１４が形成されている。開口１４は本体１２を貫通して形成され、本体の前面および背面に開口している。本体１２内には後述する光透過型の表示パネル１６が開口１４を塞ぐように配設され、その大部分は開口１４を通して本体の前面側に露出している。また、本体１２内には矩形板状のバックライトユニット１８が配設されている。後述するように、バックライトユニット１８は、開口１４を塞いで位置し表示パネル１６と対向する表示位置と、図４に示すように、本体１２から外方に引き出され開口１４を開放した開放位置との間を移動自在に設けられている。
【００１２】
本体１２の前面には、複数のテンキー２０および複数の操作キー２２が露出して設けられている。操作キー２２は、表示画像の上下左右を反転させるための反転キー２２ａを含んでいる。本体１２の内部には図示しないマイクロホン、スピーカ等が配設されている。本体１２の前面下部にはマイクロホンに対向したポート２４、本体１２の前面上部にはスピーカに対向したポート２５がそれぞれ形成されている。本体１２の側面には、音声出力端子２６が設けられている。本体１２の上端部には、伸縮自在なアンテナ２７が設けられている。
【００１３】
図５に示すように、本体１２内には、開口１４を塞ぐように、２枚の透明なカバーガラス３０ａ、３０ｂが配設されている。カバーガラス３０ａは、本体１２の前面に最も隣接して位置し、開口１４を通して外部に露出している。カバーガラス３０ｂは、本体１２の厚さ方向、ほぼ中央に位置し、カバーガラス３０ａと隙間を置いて対向している。
【００１４】
カバーガラス３０ａ、３０ｂ間には、表示パネル１６を構成した液晶表示パネル３２が配設され、開口１４を塞いで位置している。図５および図７に示すように、液晶表示パネル３２は、アレイ基板３４、アレイ基板に隙間をおいて対向配置された対向基板３６、およびアレイ基板と対向基板との間にそれぞれ配向膜を介して保持された液晶層３８を有している。アレイ基板３４および対向基板３６はそれぞれ矩形状に形成されている。アレイ基板は対向基板よりも大きな寸法に形成され、その周縁の一部が対向基板を超えて延出している。
【００１５】
液晶表示パネル３２は、マトリクス状に配列され表示領域を構成したｍ×ｎ個の表示画素ＰＸを有している。アレイ基板３４は透明な絶縁基板により形成され、一方の主面（表面）上には、表示画素ＰＸ毎にマトリクス状に配列されたｍ×ｎ個の画素電極４０、画素電極の各行に沿って延びたｎ本の走査線Ｘ、画素電極の列毎に沿って延びたｍ本の信号線Ｙ、走査線Ｘと信号線Ｙとの交点近傍に接続された薄膜トランジスタすなわちＴＦＴによって構成されたスイッチ素子４２、液晶容量ＣＬＣと並列に接続された補助容量ＣＳ等が設けられている。液晶表示パネル３２は、例えば、ＶＧＡ規格の解像度を有し、各色について６４０×４８０の画素電極４０を備えている。
【００１６】
アレイ基板３４上において表示領域の外側には、複数の走査線Ｘに接続された走査線駆動回路４４、および複数の信号線Ｙに接続された信号線駆動回路４６が形成されている。これら走査線駆動回路４４および信号線駆動回路４６は、表示領域内のスイッチ素子４２と同様に多結晶シリコン膜を含む薄膜トランジスタによって構成されている。走査線駆動回路４４は、ＬＣＤコントローラ４８による制御に基づいてｎ本の走査線Ｘに順次走査信号（駆動信号）を供給する。信号線駆動回路４６は、ＬＣＤコントローラ４８の制御に基づいて各行のスイッチ素子４２が走査信号によってオンする毎にｍ本の信号線Ｙに映像信号（駆動信号）を供給する。これにより、各行の画素電極４０は、対応するスイッチ素子４２を介して供給される映像信号に応じた画素電位にそれぞれ設定される。
【００１７】
対向基板３６は透明な絶縁基板により構成され、その一方の主面（表面）上には、図示しないカラーフィルタ、対向電極５０、配向膜が順に積層形成されている。対向電極５０は有効領域全体に渡って形成され、各画素電極４０と対向している。なお、各画素電極４０および対向電極５０は、インジウム・ティン・オキサイド（ＩＴＯ）等の透明導電膜により形成されている。
【００１８】
そして、アレイ基板３４および対向基板３６は、その周縁部同士がシールによって貼り合わされ、これら基板間には、スペーサによって所定のギャップ、例えば４μｍのギャップが形成されている。アレイ基板３４と対向基板３６との間に、例えばＯＣＢモードで表示が可能な液晶層３８が封入されている。液晶表示パネル３２において、アレイ基板３４の外面および対向基板３６の外面には、それぞれ液晶層３８の特性に合わせて偏光方向を設定した図示しない偏光板が設けられている。
【００１９】
液晶表示パネル３２のアレイ基板３４には、制御回路基板５２が接続されている。制御回路基板５２は、前述したＬＣＤコントローラ４８、画像処理メモリ５４、読み出し回路５６、携帯電話機１０全体を制御する制御部としてのＣＰＵ５７、音声ドライバ５８、光源ドライバ５９等が実装されている。制御回路基板５２は、液晶表示パネル３２から延出し、本体１２内においてテンキー２０および操作キー２２の下方に配置されている。ＣＰＵ５７には、テンキー２０、および反転キー２２ａを含む操作キー２２が接続されている。音声ドライバ５８には、スピーカ６０、マイクロホン６１、および音声出力端子２６が接続されている。その他、携帯電話機１０は、本体１２内に内蔵された電源５３、光源ドライバ５９に接続された接続端子５５、ＴＶチューナー５１、送受信部４９等を備えている。
【００２０】
図４ないし図６に示すように、バックライトユニット１８は、面光源ユニットとして構成され、アクリル製の矩形状の導光板６２と、導光板の一方の主面上に順に積層された拡散シート６３およびレンズシート６４と、導光板の他方の主面上に積層された反射シート６５と、を有している。導光板６２および各光学シートの周縁部は、矩形枠状の支持フレーム６６によって保持されている。
【００２１】
また、バックライトユニット１８は、光源として、導光板６２の一側面に対向して設けられた複数のＬＥＤ６８を有している。これらのＬＥＤ６８は支持フレーム６６の内面側に固定されている。支持フレーム６６の１つの側壁前端部には、電源端子７０が設けられ、ＬＥＤ６８に電気的に接続されている。支持フレーム６６の他の側壁、ここでは、本体１２の側面と平行に延びた側壁には、バックライトユニット１８をスライドさせる際に用いる摘み７２が突設されている。
【００２２】
本体１２は、開口１４の周縁に沿って本体の幅方向に延びた一対のガイド溝７４を有している。ガイド溝７４は本体１２のガイド部を構成している。バックライトユニット１８は、支持フレーム６６の一対の側縁部がそれぞれガイド溝７４に挿入された状態で、本体１２に保持されている。そして、バックライトユニット１８は、図３に示す表示位置と図４に示す開放位置との間をガイド溝７４に沿って移動自在に支持されている。図３および図５に示すように、表示位置において、バックライトユニット１８は開口１４を塞いで位置し表示パネル１６と対向する。また、支持フレーム６６に設けられた電源端子７０が本体１２側に設けられた接続端子５５と導通し、電源５３に接続される。電源５３、光源ドライバ５９によりバックライトユニット１８のＬＥＤ６８を点灯することにより、導光板６２から液晶表示パネル３２に向けて照明光が出射される。これにより、液晶表示パネル３２を通して文字、動画等の画像表示を行う。
【００２３】
図４に示すように、開放位置において、バックライトユニット１８はその大部分が本体１２から側方に引き出され、外部に露出している。これにより、本体１２の背面側において、開口１４が開放され、液晶表示パネル３２の背面側は開口１４を通して本体外部に開放した状態となる。また、開放位置に移動することにより、支持フレーム６６の電源端子７０が本体１２側の接続端子５５から離間し、ＬＥＤ６８への電源供給が自動的にカットされる。
【００２４】
バックライトユニット１８を開放位置に移動させる際、支持フレーム６６に突設された摘み７２を摘んで本体１２から引き出すことができる。バックライトユニット１８は、図示しないクリック機構により、それぞれ表示位置および開放位置に保持され、不用意な移動が防止されているとともに、本体１２からの脱落が防止されている。
【００２５】
上記のように構成された携帯電話機１０によれば、ユーザが一人で使用する場合、すなわち、通常の携帯電話機として通話、メール送受信、画像表示等を行う場合、バックライトユニット１８は表示位置に移動され、画像表示に用いられる。また、表示パネル１６に表示される画像を複数人で見る場合、バックライトユニット１８は開放位置に引き出される。
【００２６】
図１、図２、および図８に示すように、プロジェクタ８０は、矩形箱状の筐体８２を備えている。筐体８２の上面には、種々の操作キーを有した操作パネル８３および音声入力用の音声入力端子８４が設けられている。筐体８２の前面には投影レンズ８５が露出して設けられ、側面には、放熱用の多数の通気孔８６が形成されている。また、筐体８２には、前述した携帯電話機１０を挿入可能な装填スロット８７が形成され、筐体の上面および側面に連続して開口している。携帯電話機１０を装填していない状態において、装填スロット８７は、着脱自在なカバー８８によって閉じられている。
【００２７】
筐体８２内には、放電ランプおよびランプリフレクタを有した光源部８９、この光源部と投影レンズ８５との間に位置した種々の光学系ユニットが配設されている。光学系ユニットは、光源部８９の光軸に沿って配設された紫外線／赤外線カットフィルタ９０、フライアレンズ９１、ＰＳ分離合成部９２、収束レンズ９３等を有している。紫外線／赤外線カットフィルタ９０は、光源部８９から出射された照明光の内、不必要な紫外線および赤外線を除去する。フライアレンズ９１は小さなレンズを複数集合して形成され、照明光を均一に無駄なく集光してＰＳ分離合成部９２へ導く。ＰＳ分離合成部９２を通った照明光は収束レンズ９３により収束され、投影レンズ８５を通して外部のスクリーンあるいは壁面等に投影される。
【００２８】
装填スロット８７は、ＰＳ分離合成部９２と収束レンズ９３との間で照明光の光軸上に位置している。また、装填スロット８７は、照明光の光軸に対して垂直な方向に延びている。装填スロット８７の幅、奥行き等の寸法は、携帯電話機１０を挿入および保持可能な大きさに形成されている。
【００２９】
携帯電話機１０およびプロジェクタ８０を用いて画像表示を行う場合、図１、図２、および図８に示すように、まず、表示パネル１６に例えばＴＶ画像を表示した状態で、携帯電話機１０のバックライトユニット１８を本体１２から引き出し、開放位置に移動させる。これにより、液晶表示パネル３２の背面側を開口１４を通して外部に開放する。また、携帯電話機１０の反転キー２２ａを押下して、液晶表示パネル３２に表示される画像を、通常使用時に対して、上下左右を反転して表示する。更に、携帯電話機１０の音声出力端子２６とプロジェクタ８０の音声入力端子８４とをケーブル９４により接続する。
【００３０】
続いて、プロジェクタ８０の筐体８２からカバー８８を取り外し、装填スロット８７を開放する。この状態で、携帯電話機１０の表示パネル１６部分を装填スロット８７に挿入する。この際、バックライトユニット１８がプロジェクタ８０の筐体８２から上方へ延出するように、携帯電話機１０の本体をほぼ横向きに立てた状態で挿入する。これにより、携帯電話機１０はプロジェクタ８０の装填スロット８７内に保持される。そして、携帯電話機１０の液晶表示パネル３２は、プロジェクタ８０の筐体８２内において、光学系の光軸と垂直に交差して配置される。
【００３１】
次いで、プロジェクタ８０の光源部８９を作動させて照明光を出射する。光源部８９から出射された照明光は、紫外線／赤外線カットフィルタ９０、フライアレンズ９１、ＰＳ分離合成部９２を通り、携帯電話機１０の液晶表示パネル３２に入射する。この際、携帯電話機１０のバックライトユニット１８は開放位置に移動され、液晶表示パネル３２の背面側は開口１４を通して開放している。そのため、照明光はバックライトユニット１８によって遮蔽されることなく、液晶表示パネル３２に入射する。照明光は、液晶表示パネル３２を透過した後、収束レンズ９３により収束され、投影レンズ８５を通して外部のスクリーンあるいは壁面等に投影される。また、携帯電話機１０から出力された音声は、プロジェクタ８０を介して、図示しない増幅器、スピーカに送られ再生される。これにより、液晶表示パネル３２に表示された画像は、拡大されてスクリーンあるいは壁面等に投影され、多数人で同時に見ることができる。
【００３２】
プロジェクタ８０の光源部８９は十分に大きな光量を有し、また、投影レンズ８５を含む光学系も十分な開口径および倍率を有している。更に、液晶表示パネル３２は高精細な画像表示が可能であることから、所望の倍率に拡大され十分な輝度を持った高精細な画像を表示し、多数人で同時に視認することができる。なお、別途設けられたスピーカを用いることなく、プロジェクタ８０自体に音声再生用のスピーカを設けても良い。
【００３３】
以上のように、本実施形態に係る携帯電話機１０によれば、１人で使用する場合には、通常の携帯電話機と同様に、通話、メール送受信、画像表示、動画表示を行うことができるとともに、プロジェクタ８０と組み合わせることにより、表示パネル１６に表示された画像を多数人で同時に見ることができる。これにより、携帯電話機１０の利用範囲を一層拡大し、有効利用することが可能となる。また、表示システムによれば、携帯電話機１０の表示パネル１６を用いて、所望の倍率に拡大され十分な輝度を持った高精細な画像を表示し、多数人で同時に視認することができる。
【００３４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３５】
例えば、携帯電話機は、上述した実施形態に限らず、表示パネルと、テンキーおよび操作キーとが別々の２つの本体に設けられ、これら２つの本体が折りたたみ可能、あるいはスライド自在、回動自在に接続された携帯電話機に適用してもよい。また、バックライトユニットは、本体の幅方向に移動自在に設けられ本体の側方へ延出する構成としたが、これに限らず、本体の長手方向に移動自在に設けてもよく、あるいは、操作キーの背面側に移動可能に設けても良い。バックライトユニットの光源はＬＥＤに限らず、冷陰極管を用いても良い。
【００３６】
プロジェクタの装填スロットは、携帯電話機の表示パネル部分を挿入可能な構成としたが、携帯電話機全体を装填可能な構成としてもよい。この発明は、携帯電話機に限らず、携帯端末、ＰＤＡ等の他の携帯電子機器にも適用することができる。
【図面の簡単な説明】
【００３７】
【図１】図１は、この発明の実施形態に係る表示システムを示す斜視図。
【図２】図２は、前記表示システムのプロジェクタおよび携帯電話機を示す分解斜視図。
【図３】図３は、前記携帯電話機を示す斜視図。
【図４】図４は、前記携帯電話機において、バックライトユニットを開放位置に引き出した状態を示す斜視図。
【図５】図５は、図３の線Ｂ−Ｂに沿った前記携帯電話機の断面図。
【図６】図６は、前記携帯電話機のバックライトユニットを示す断面図。
【図７】図７は、前記携帯電話機の液晶表示パネルおよび制御回路部を概略的に示す図。
【図８】図８は、図１の線Ａ−Ａに沿った表示システムの断面図。
【符号の説明】
【００３８】
１０…携帯電話機、  １２…本体、  １４…開口、  １６…表示パネル、
１８…バックライトユニット、  ２０…テンキー、  ２２ａ…反転キー、
３２…液晶表示パネル、  ６６…支持フレーム、  ６８…ＬＥＤ、  ７０…電源端子、
７４…ガイド溝、  ８０…プロジェクタ、  ８２…筐体、  ８５…投影レンズ、
８７…装填スロット、  ８９…光源部、
【図１】
2006319623.tif 000003
【図２】
2006319623.tif 000004
【図３】
2006319623.tif 000005
【図４】
2006319623.tif 000006
【図５】
2006319623.tif 000007
【図６】
2006319623.tif 000008
【図７】
2006319623.tif 000009
【図８】
2006319623.tif 000010